(57)【要約】【課題】ニームの木がダタン（Ｄｕｔｕｎ）に代表される抗菌性、抗プラーク性を発揮する有効成分を含有し、ミュータンス連鎖球菌や大便連鎖球菌等の細菌を死滅させて該連鎖球菌のコロニー形成能力を減少する特性を有することを利用し、歯や舌の病原除去、ひいては口臭予防に有効な舌ブラシ又は歯ブラシを提供する。【解決手段】柄１の先端ヘッド部２に、舌又は歯清掃用の摩擦材３を取り付けた舌ブラシ又は歯ブラシにおいて、上記摩擦材３を取り付けた先端ヘッド部２にニームチップを保有せしめ、舌ブラシ又は歯ブラシを構成する。【選択図】        図２
2005348899.tif 000002
【特許請求の範囲】
【請求項１】
柄の先端ヘッド部に舌清掃用の摩擦材を取り付けた舌ブラシ又は歯清掃用の摩擦材を取り付けた歯ブラシにおいて、上記摩擦材を取り付けた先端ヘッド部にニームチップを保有せしめたことを特徴とする舌ブラシ又は歯ブラシ。
【請求項２】
柄の先端ヘッド部に舌清掃用の摩擦材を取り付けた舌ブラシ又は歯清掃用の摩擦材を取り付けた歯ブラシにおいて、上記摩擦材を取り付けた先端ヘッド部に形成した室内にニームチップを保有せしめ、該ニームチップ保有室はニーム成分を口腔内に放出するニーム成分放出用開口を有することを特徴とする舌ブラシ又は歯ブラシ。
【発明の詳細な説明】
【技術分野】
【０００１】
本発明は柄の先端ヘッド部に歯清掃用の摩擦材を取り付けた歯ブラシ、又は舌清掃用の摩擦材を取り付けた舌ブラシに関する。
【背景技術】
【０００２】
従来口腔内の歯及び舌の摩擦清掃を目的として、多種多様の形状の歯ブラシや舌ブラシ等が用いられており、特許文献１には、歯ブラシの植装穴や植毛面に殺菌剤を混和した高分子化合物からなる塗布層を設け、歯ブラシの雑菌繁殖を抑止せんとする歯ブラシが開示されている。
【特許文献１】特開平５−７６４１７号公報
【発明の開示】
【発明が解決しようとする課題】
【０００３】
然るに上記特許文献１における高分子化合物は化学物質であり、口腔内の歯や舌の殺菌剤としては健康を損なう懸念を抱かせ、又これを層成する方法では充分な量を確保できず、更に密着性が悪く剥落の恐れがあるばかりか、特に殺菌材として予定している塩化デカリニウム、塩化ベンザルコニウム、塩化ベンゼトニウム等は高分子化合物によって閉鎖され、薬効が充分に望み難く、殺菌剤としても効果が薄い。
【課題を解決するための手段】
【０００４】
発明者はインドやパキスタンやバングラディッシュにおける約６００万人が、毎日その小枝を歯ブラシとして使用し、現在ではアメリカ、オーストラリア、ドイツにおいてもその効果が認められ、練り歯磨きの成分等として用いられている天然の植物であるニーム（学名  Ａｚａｄｉｒａｃｔｈａ  ｉｎｄｉｃａ）に着目し、該ニームのチップを使用して活性な薬効効果が望める舌ブラシ又は歯ブラシを提供するものである。
【０００５】
即ち本発明は柄の先端ヘッド部に、舌清掃用の摩擦材を取り付けた舌ブラシ又は歯清掃用の摩擦材を取り付けた歯ブラシにおいて、上記摩擦材を取り付けた先端ヘッド部にニームチップを保有せしめた舌ブラシ又は歯ブラシを提供する。
【０００６】
具体例として上記摩擦材を取り付けた先端ヘッド部に室を形成し、該室内にニームチップを保有せしめ、該ニームチップ保有室にニーム成分放出用開口を設け、該ニーム成分放出用開口を通して上記ニームチップの成分を歯や舌に作用せしめる構造とする。
【発明の効果】
【０００７】
上記ニームチップを保有せしめた舌ブラシ又は歯ブラシで口腔内を清掃することにより、該ニームのダタン（Ｄｕｔｕｎ）に代表される有効成分が抗菌性、抗プラーク性を発揮し、ミュータンス連鎖球菌や大便連鎖球菌等の細菌を死滅させて該連鎖球菌のコロニー形成能力を減少し、歯や舌の病原除去、ひいては口臭予防の目的を達成する。
【発明を実施するための最良の形態】
【０００８】
以下本発明の実施の形態を図１乃至図５に基づき説明する。
【０００９】
図１乃至図３に示すように、柄１の先端ヘッド部２に舌清掃用の摩擦材３を取り付けた舌ブラシ、又は歯清掃用の摩擦材３を取り付けた歯ブラシにおいて、上記摩擦材３を取り付けた先端ヘッド部２にニームチップ４、即ちニームの木をスライス等したニームチップ４を保有せしめる。ニームチップ４は先端ヘッド部２に形成した室５内に直接嵌着する。
【００１０】
又は図４に示すように、ニームチップ４を該ニームチップ４の周面を捕捉する底面と上面において開放するリング形、又はリング形の周壁の底面を閉鎖した構造のトレー形のニームチップホルダー９内に嵌着し、該ニームチップホルダー９を室５内に嵌着する。
【００１１】
ニームチップ４は後述するニームチップ保有室５の形状に合わせ円形又は四角形又はハート形等に形成する。
【００１２】
上記ニームチップ４の母材である上記ニームは、インド等に自生又は栽培される樹木であり、古代より該ニームの成分が有する効果が認められ、これを擦り付ける、飲用する等の方法で用いられていたことが記録上明らかにされている。
【００１３】
上記舌ブラシ又は歯ブラシにニームチップ４を保有せしめる具体例として、上記摩擦材３を取り付けた先端ヘッド部２に室５を形成し、該室５内にニームチップ４を保有せしめ、該ニームチップ保有室５にニーム成分放出用開口７を設け、該ニーム成分放出用開口７を通して上記ニームチップ４の成分を口腔内に放出し歯や舌に作用せしめる構造とする。
【００１４】
上記ニームの有効成分はその葉、樹液、樹皮、花、果実等全木に亘り含まれ、これらの適用が可能である。好ましい実施例としては、上記虫歯や歯周病の予防や治療に対しては特に樹皮が有効であることに着目し、該ニームの樹皮をチップ状にした平板状のニームチップ４、又は樹皮を含む樹木をスライスして平板状にしたニームチップ４を用いる。
【００１５】
又は樹皮又は樹皮を含む樹木を粉末状にし圧縮して固形化した平板状のニームチップ４を適用する。又上記ニームの葉の粉末や、樹液や、果実の圧搾エキス等を担体に含ませたニームチップ４を適用する。
【００１６】
例えば図３に示すように、ベース１０に多数のブラシ材３ａに代表される摩擦材３を植え込んだ清掃板１１を形成する。又は図２Ａ，Ｂに示すように、ベース１０に多数のリブ又は突起３ｂから成る摩擦材３を一体成形した清掃板１１を形成する。
【００１７】
上記清掃板１１のベース１０の下面に下方へ向け開放せる円形又は四角形等のチップ収容室５ａを形成する。
【００１８】
他方上記柄１の先端ヘッド部２に上方へ向け開放された円形又は四角形のチップ収容室５ｂを設け、該チップ収容室５ｂ内に上記清掃板１１のベース１０を嵌合し、チップ収容室５ｂの開放面をベース１０で閉鎖し、先端ヘッド部２の底板２ａとの間にチップ収容室５ａ，５ｂとが協働して空洞構造から成るチップ保有室５を形成する。
【００１９】
上記清掃板１１のベース１０の外縁部にはスタンド１０ａ、例えばスタンド１０ａを兼ねる室画成壁１０ａを設けてチップ収容室５ａを画成し、該清掃板１１のベース１０を先端ヘッド部２の底板２ａの外縁部に設けたチップ収容室５ｂを画成する室画成壁２ｂの内面に圧入しつつスタンド１０ａの端面を上記底板２ａ（チップ収容室５ｂの底板）に当接し、上記空洞構造のニームチップ保有室５を形成する。
【００２０】
図５に示すように、ニームチップ４は清掃板１１のベース１０下に設けたチップ収容室５ａ内に収容し一体部品とするか、又は先端ヘッド部２の底板２ａ上に形成したチップ収容室５ｂ内に収容する。よってニームチップ４を先端ヘッド部２の室５内に保有せしめる。
【００２１】
上記の如く上記清掃板１１を上記柄１の先端ヘッド部２に嵌脱可に嵌合してニームチップ４を保有する舌ブラシ又は歯ブラシを構成する。
【００２２】
上記ニームチップ保有室５内に平板状のニームチップ４を直接収容するか、又は前記図４に示すニームチップ４を嵌着したホルダー９を収容し、これを清掃板１１と底板２ａとの間に挟持し確固に保有する。
【００２３】
上記清掃板１１のベース１０の室画成壁１０ａとヘッド部２の室画成壁２ｂの嵌合面間には互いに雌雄係合する凹凸８等の係合手段を設け、嵌合を保持すると共に嵌脱自在とする。
【００２４】
上記ニーム成分放出用の開口７は摩擦材３を設けた空洞形成壁、即ち清掃板１１のベース１０に設ける。即ちニームチップ保有室５の開口面を閉鎖する清掃板１１のベース１０に単数又は複数の小孔を貫通して設け、これをニーム成分放出用開口７とする。
【００２５】
上記先端ヘッド部２から清掃板１１を解除することにより、上記ニームチップ４を該ヘッド部２、即ち凹部からなるチップ収容室５ｂより取り出し洗浄すると共に、該室５ｂと５ａの洗浄が可能となる。又上記ニームチップ４を交換することが可能である。
【００２６】
他例として、上記摩擦材３の担体たる清掃板１１を別部品として形成せずに、上記摩擦材３を上記先端ヘッド部２に直接設け、該先端ヘッド部２にニームチップ保有室５を形成し、該室５内にニームチップ４を嵌着する場合を包含する。
【００２７】
例えば先端ヘッド部２内に側方において開口するニームチップ保有室５を一体成形し、該室５内に側方の開口からニームチップ４を嵌着する。
【００２８】
又は先端ヘッド部２の下面に下方へ向け開放するニームチップ保有室５を設け、該室５内にニームチップ４を嵌着する。
【００２９】
上記の如くニームチップ４を担持させた舌ブラシ又は歯ブラシにより口腔内を清掃することにより、該ニームのダタン（Ｄｕｔｕｎ）に代表される有効成分が抗菌性、抗プラーク性を発揮し、ミュータンス連鎖球菌や大便連鎖球菌等の細菌を死滅させて該連鎖球菌のコロニー形成能力を減少し、上記虫歯や歯周病の予防、ひいては口臭予防の効果を達成し、歯と舌を健全にする効果を期待できる。
【図面の簡単な説明】
【００３０】
【図１】Ａは舌ブラシの平面図、Ｂは同舌ブラシの他例を示す平面図。
【図２】Ａは図１Ａにおける舌ブラシの断面図、Ｂは図１Ｂにおける舌ブラシの断面図。
【図３】歯ブラシの断面図。
【図４】ニームチップを保有するホルダーを示す平面図。
【図５】ニームチップを保有する清掃板を同チップ嵌合前の状態を以って示す断面図。
【符号の説明】
【００３１】
１…柄、２…先端ヘッド部、２ａ…底板、２ｂ…室画成壁、３…摩擦材、３ａ…ブラシ材、３ｂ…リブ又は突起、４…ニームチップ、５…ニームチップ保有室、５ａ，５ｂ…チップ収容室、７…ニーム成分放出用開口、８…凹凸、９…ニームチップホルダー、１０…ベース、１０ａ…スタンド（室画成壁）、１１…清掃板。
【図１】
2005348899.tif 000003
【図２】
2005348899.tif 000004
【図３】
2005348899.tif 000005
【図４】
2005348899.tif 000006
【図５】
2005348899.tif 000007